(57)【要約】  加圧室内における溶湯の上方に形成される空間と、鋳型の注湯口から垂設されたストークまたは鋳型の注湯口に接続する誘導孔とを簡単に連通させて、ストーク内または誘導孔内に不活性ガスを充満させることが可能な低圧鋳造装置を提供する。  溶湯の上面を不活性ガスにより加圧して鋳型（７）の注湯口から垂設されたストーク（８）または鋳型の注湯口に一端が接続する誘導孔を介して溶湯を鋳型に充填するようにした鋳造装置であって、溶湯を保持する溶湯保持室（１）と、溶湯保持室に連通孔（４）を介し連通可能にして配設されストーク（８）の下端が入り込みまたは誘導孔（２１）の他端が接続しかつ不活性ガスによって溶湯を加圧する加圧室２と、連通孔を開閉する開閉弁５と、加圧室における溶湯の上方に形成される空間とストーク内または誘導孔内とが連通していることを検知する検知手段（１５）と、加圧室の上部に不活性ガスを供給する不活性ガス供給手段（３０）とを備えたことを特徴とする低圧鋳造装置１００。【選択図】図１
2008132991.tif 000002
【特許請求の範囲】
【請求項１】
溶湯を不活性ガスにより加圧して鋳型の注湯口から垂設されたストークまたは鋳型の注湯口に一端が接続する誘導孔を介して溶湯を鋳型に充填するようにした鋳造装置であって：
溶湯を保持する溶湯保持室と；
この溶湯保持室に連通孔を介し連通可能にして配設され、前記ストークの下端が入り込みまたは前記誘導孔の他端が接続し、かつ不活性ガスによって溶湯の上面を加圧する加圧室と；
前記連通孔を開閉する開閉弁と；
前記加圧室における溶湯の上方に形成される空間と前記ストーク内または前記誘導孔内とが連通していることを検知する検知手段と；
前記加圧室の上部に不活性ガスを供給する不活性ガス供給手段と；
を備えたことを特徴とする低圧鋳造装置。
【請求項２】
前記検知手段は、前記加圧室内における溶湯の上方に形成される空間と前記ストーク内または前記誘導孔内とが連通可能となる前記加圧室内における溶湯の上面レベルを検知するレベルセンサーである；
請求項１に記載の低圧鋳造装置。
【請求項３】
前記検知手段は、前記加圧室内における溶湯の上方に形成される空間と、前記ストーク内または前記誘導孔内とが連通可能となる前記加圧室内の圧力の所定値を検知する圧力センサーである；
請求項１に記載の低圧鋳造装置。
【請求項４】
請求項１ないし請求項３のいずれか１項に記載の低圧鋳造装置において、
前記注湯口には、前記ストークが垂設され；
前記溶湯保持室から供給された前記加圧室内の溶湯に前記ストークの下端を浸漬させた状態で、その下端開口の一部が前記加圧室の溶湯面よりも上側に開口するように、前記ストークの下端部を形成したことを特徴とする低圧鋳造装置。
【請求項５】
請求項２に記載の低圧鋳造装置における前記ストーク内または誘導孔内に不活性ガスを充満させる方法であって、
前記加圧室内の溶湯の上面を不活性ガスにより加圧して溶湯をストークまたは誘導孔を介して前記鋳型に充填し、充填された溶湯が凝固したのち前記連通孔を開いて、前記レベルセンサーが加圧室内の溶湯の上面レベルを検知するまで前記加圧室内の溶湯を前記溶湯保持室に戻して、加圧室内における溶湯の上方に形成される空間と、前記ストーク内または前記誘導孔内とを連通させて、前記加圧室の不活性ガスを前記ストーク内または誘導孔内に流入させることを特徴とする低圧鋳造装置における不活性ガスの充満方法。
【請求項６】
請求項２に記載の低圧鋳造装置における前記鋳型の製品キャビティ内に不活性ガスを充満させる方法であって、
前記加圧室内の溶湯の上面を不活性ガスにより加圧して溶湯をストークまたは誘導孔を介して前記鋳型に充填し、充填された溶湯が凝固したのち前記連通孔を開いて、前記レベルセンサーが加圧室内の溶湯の上面レベルを検知するまで前記加圧室内の溶湯を前記溶湯保持室に戻して、加圧室内における溶湯の上方に形成される空間と、前記ストーク内または前記誘導孔内とを連通させ、かつ、前記鋳型の製品キャビティを画成したのち、前記加圧室に不活性ガスを供給して製品キャビティ内に不活性ガスを充満させることを特徴とする低圧鋳造装置における不活性ガスの充満方法。
【請求項７】
請求項３に記載の低圧鋳造装置における前記ストーク内または誘導孔内に不活性ガスを充満させる方法であって、
前記加圧室内の溶湯の上面を不活性ガスにより加圧して溶湯をストークまたは誘導孔を介して前記鋳型に充填し、充填された溶湯が凝固したのち前記連通孔を開くとともに前記不活性ガスの圧力を制御して、加圧室内の圧力が所定値になったのを前記圧力センサーが検知するまで前記加圧室内の溶湯を前記溶湯保持室に戻して前記加圧室内の溶湯レベルを下降させ、加圧室内における溶湯の上方に形成される空間と、前記ストーク内または前記誘導孔内とを連通させて、前記加圧室の不活性ガスを前記ストーク内または誘導孔内に流入させることを特徴とする低圧鋳造装置における不活性ガスの充満方法。
【請求項８】
請求項３に記載の低圧鋳造装置における前記鋳型の製品キャビティ内に不活性ガスを充満させる方法であって、
前記加圧室内の溶湯の上面を不活性ガスにより加圧して溶湯をストークまたは誘導孔を介して前記鋳型に充填し、充填された溶湯が凝固したのち前記連通孔を開くとともに前記不活性ガスの圧力を制御して、加圧室内の圧力が所定値になったのを前記圧力センサーが検知するまで前記加圧室内の溶湯を前記溶湯保持室に戻して前記加圧室内の溶湯レベルを下降させ、加圧室内における溶湯の上方に形成される空間と、前記ストーク内または前記誘導孔内とを連通させ、かつ、前記鋳型の製品キャビティを画成したのち、前記加圧室に不活性ガスを供給して製品キャビティ内に不活性ガスを充満させることを特徴とする低圧鋳造装置における不活性ガスの充満方法。
【請求項９】
請求項１ないし３のいずれか１項に記載の低圧鋳造装置を用いる鋳造品製造方法であって：
前記不活性ガス供給手段から前記加圧室に不活性ガスを供給する工程と；
前記開閉弁にて連通孔を開き、溶湯保持室に保持される溶湯を前記加圧室に供給する工程と；
その後に前記開閉弁にて連通孔を閉じ、前記不活性ガス供給手段から前記加圧室に不活性ガスを供給して溶湯を加圧し、前記加圧室から前記鋳型に溶湯を充填する工程と；
前記鋳型に充填された溶湯を冷却する工程と；
前記鋳型に充填された溶湯が冷却されて凝固した後に、前記開閉弁を開き、前記加圧室から前記溶湯保持室に溶湯を戻す工程と；
前記加圧室から前記溶湯保持室に溶湯を戻し、前記加圧室内の溶湯の上方に形成される空間と前記ストーク内または前記誘導孔内とが連通可能になった後に、前記開閉弁にて連通孔を閉じる工程とを備える；
鋳造品製造方法。
【発明の詳細な説明】
【技術分野】
【０００１】
本発明は、低圧鋳造装置、不活性ガスの充満方法および鋳造品製造方法に関する。
【背景技術】
【０００２】
従来、鋳造機の構成を複雑にすることなく、鋳型とストークと保持炉内の空気を効率的に非酸化ガスに置換し得る低圧鋳造機として、次のように構成されたものが提案されている。すなわち、この低圧鋳造機は、略気密状に密閉された保持炉と、この保持炉へ非酸化性ガスを供給するガス体供給手段と、前記保持炉と鋳型とを連通するストークと、このストークの保持炉側への開口部を保持炉内の溶湯に浸漬される鋳造位置と、前記開口部の少なくとも一部を保持炉内の溶湯面よりも上側に開口させた置換位置とに切り換える位置切り換え手段とを備え、前記ストークを置換位置へ移動させた状態で、保持炉内へ非酸化ガスを供給して、保持炉とストークと鋳型内の空気を非酸化性ガスで置換可能に構成されている。（特開２０００−４２７１５号公報参照）
【発明の開示】
【０００３】
しかし、このように構成された従来の低圧鋳造機では、保持炉とストークと鋳型内の空気を非酸化性ガスで置換させるたび毎に保持炉を昇降させる必要があるため、鋳造のサイクルタイムが長くて生産性や効率が悪く、しかも、構造が複雑になり、その上、保持炉の蓋とストークとの間の密閉性が十分に確保できないなどの問題があった。
【０００４】
本発明は、上記の事情に鑑みてなされたもので、その目的は、加圧室内における溶湯の上方に形成される空間と、鋳型の注湯口から垂設されたストークまたは鋳型の注湯口に接続する誘導孔とを簡単に連通させて、ストーク内または誘導孔内に不活性ガスを充満させることが可能な低圧鋳造装置および不活性ガスの充満方法ならびに該低圧鋳造装置を用いた鋳造品の製造方法を提供することにある。 
【０００５】
上記の問題を解消するために本発明における低圧鋳造装置は、溶湯を不活性ガスにより加圧して鋳型の注湯口から垂設されたストークまたは鋳型の注湯口に一端が接続する誘導孔を介して溶湯を鋳型に充填するようにした鋳造装置であって：溶湯を保持する溶湯保持室と；この溶湯保持室に連通孔を介し連通可能にして配設され、前記ストークの下端が入り込みまたは前記誘導孔の他端が接続し、かつ不活性ガスによって溶湯の上面を加圧する加圧室と；前記連通孔を開閉する開閉弁と；加圧室における溶湯の上方に形成される空間とストーク内または誘導孔内とが連通していることを検知する検知手段と；加圧室の上部に不活性ガスを供給する不活性ガス供給手段と；を備えたことを特徴とする。
【０００６】
このように構成された低圧鋳造装置では、開閉弁が開かれ連通孔を通じて溶湯保持室内の溶湯が加圧室内に供給されたのち、開閉弁にて連通孔が閉じられて溶湯の供給が止められる。次いで、不活性ガス供給手段により不活性ガスが加圧室に供給されて溶湯が加圧され、これにより、加圧室の溶湯がストークまたは誘導孔を介して鋳型の製品キャビティ内に充填される。鋳型の製品キャビティ内に充填された溶湯が凝固したのち、開閉弁にて連通孔が開かれて、加圧室内の溶湯が溶湯保持室内に戻され、加圧室における溶湯の上方の空間とストークまたは誘導孔とが連通される。これに伴い、加圧室内の不活性ガスがストーク内または誘導孔内に流入することとなる。また、検知手段にて、加圧室における溶湯の上方の空間とストークまたは誘導孔とが連通したことが確認される。この結果、その後、ストーク内または誘導孔内の溶湯が空気に晒されるのを防ぐことが可能になる。
【０００７】
上記の説明から明らかなように本発明は、加圧室内の溶湯の上面を不活性ガスにより加圧して溶湯を鋳型に充填し、充填された溶湯が凝固したのち開閉弁にて連通孔を開いて加圧室内の溶湯を溶湯保持室に戻す時に、加圧室内における溶湯の上方に形成される空間とストーク内または誘導孔内とが連通していることを検知する検知手段を設けたから、加圧室の溶湯の上方空間と、ストークまたは誘導孔とを連通させて加圧室内の不活性ガスをストーク内または誘導孔内に確実に流入させることが可能になる。よって、ストーク内または誘導孔内の溶湯の表面が空気に晒されることがなく、ストーク内または誘導孔内の溶湯に酸化膜が生成されるのを適確に防止することができるなどの優れた実用的効果を奏する。
【０００８】
この出願は、日本国で２００７年４月１６日に出願された特願２００７−１０６６３９号および２００７年６月１４日に出願された特願２００７−１５７０５５号に基づいており、その内容は本出願の内容として、その一部を形成する。また、本発明は以下の詳細な説明により更に完全に理解できるであろう。しかしながら、詳細な説明および特定の実施例は、本発明の望ましい実施の形態であり、説明の目的のためにのみ記載されているものである。この詳細な説明から、種々の変更、改変が、当業者にとって明らかだからである。出願人は、記載された実施の形態のいずれをも公衆に献上する意図はなく、開示された改変、代替案のうち、請求の範囲内に文言上含まれないかもしれないものも、均等論下での発明の一部とする。本明細書あるいは請求の範囲の記載において、名詞及び同様な指示語の使用は、特に指示されない限り、または文脈によって明瞭に否定されない限り、単数および複数の両方を含むものと解釈すべきである。本明細書中で提供されたいずれの例示または例示的な用語（例えば、「等」）の使用も、単に本発明を説明し易くするという意図であるに過ぎず、特に請求の範囲に記載しない限り本発明の範囲に制限を加えるものではない。
【発明を実施するための最良の形態】
【０００９】
本発明を適用した低圧鋳造装置の第１〜４実施例について図１〜図７に基づき詳細に説明する。第１実施例として、検知手段としてレベルセンサー９を備える低圧鋳造装置１００について説明する。図１に示すように、低圧鋳造装置１００は、溶湯を保持する溶湯保持室１と、この溶湯保持室１に連通可能にして配設され不活性ガスによって溶湯を加圧する加圧室２と、前記溶湯保持室１と前記加圧室２とを補助室３を介して連通させる連通孔４を開閉する開閉弁５と、前記加圧室２の上端開口部を気密状に閉鎖する蓋部材６と、鋳型７の注湯口から垂設されこの蓋部材６を上下に貫通して前記加圧室２内に入り込むストーク８と、前記蓋部材６にこれを上下に貫通して垂設され、前記加圧室２内における溶湯の上面レベルを検知するレベルセンサー９と、前記蓋部材６に設けられた不活性ガス供給孔１０に接続されて前記加圧室２の上部に不活性ガスを供給する不活性ガス供給手段３０と、で構成してある。【００１０】
低圧鋳造装置１００では、連通孔４の一部を弁座として用い、開閉弁５の弁体で連通孔を４を開閉する構造としているが、弁座と弁体とを有する開閉弁を連通孔４に配設して連通孔４を開閉してもよい。【００１１】
そして、前記不活性ガス供給手段３０においては、不活性ガスを貯蔵したタンク３２が開閉弁３４および導管３６を介して前記不活性ガス供給孔１０に接続してある。また、前記加圧室２の上部には、溶湯の上方の空間の圧力を大気圧とほぼ同じにするために不活性ガスを排出させる排ガス孔４０が設けてあり、この排ガス孔４０には電磁開閉弁４２が取り付けてある。また、前記溶湯保持室１の上端開口部を閉鎖する蓋部材１１には、溶湯保持室１内の溶湯の上限レベルおよび下限レベルをそれぞれ検知するレベルセンサー１２・１３が、また、前記蓋部材６には前記加圧室２内の溶湯の上限レベルおよび中限レベルをそれぞれ検知するレベルセンサー１４・１５がそれぞれ取り付けてある。なお、中限レベルを検知するレベルセンサー１５は、前記ストーク８の下端から数ｍｍないし数十ｍｍ高い溶湯の上面レベルを検知するようになっている。【００１２】
このように構成した低圧鋳造装置１００では、不活性ガス供給手段３０により不活性ガス供給孔１０から加圧室２における溶湯の上方に不活性ガスが供給されるとともに、排ガス孔４０から不活性ガスが逃がされて加圧室２内の溶湯の上方の空間が過剰圧力になるのを防止されながら、まず、開閉弁５が作動されて連通孔４が開かれ、溶湯保持室１内の溶湯が加圧室２内に供給される。レベルセンサー１４が加圧室２内の溶湯の上限レベルを検知した時、開閉弁５が作動されて連通孔４が閉じられる。次いで、より圧力の高い不活性ガスが不活性ガス供給孔１０から供給されて加圧室２内の溶湯が加圧され、加圧室２の溶湯がストーク８を介して鋳型７の製品キャビティ内に充填される（図２−Ａ参照）。鋳型７の製品キャビティ内の溶湯が凝固したのち、開閉弁５が作動されて連通孔４が開かれ、加圧室２内の溶湯が溶湯保持室１内に戻される（図２−Ｂ参照）。【００１３】
なお、加圧室２内の不活性ガスの圧力は、他の周知の方法で制御することができる。例えば、排ガス孔４０に接続する電磁開閉弁４２にコントロール弁を用いて不活性ガスを逃がす圧力を変えて制御してもよいし、不活性ガス供給手段３０の開閉弁３４にコントロール弁を用いて供給される不活性ガスの圧力を変えて制御してもよい。【００１４】
そして、レベルセンサー１５が加圧室２内の溶湯の高さを検知した時に、不活性ガス供給孔１０から供給される不活性ガスの圧力が低くなるように制御される。よって、さらに溶湯の上面が下がり溶湯の上方の空間とストーク８内とが連通したときに、不活性ガスは溶湯をストーク８内に巻き込むことなく、静かにストーク８内に流入する。レベルセンサー９が加圧室２内の溶湯の上方に形成される空間とストーク８内とが連通可能となる溶湯の上面（液面）レベルを検知した後に、開閉弁５が作動されて連通孔４が閉じられる（図２−Ｃ参照）。なお、「連通する」とは、溶湯に封止されることなく、気体（不活性ガス）の流路が形成される状態をいう。【００１５】
次いで、排ガス孔４０からの不活性ガスの排出により加圧室２における溶湯の上方の空間の圧力が大気圧とほぼ同じになったのち、溶湯が凝固してなる鋳物が鋳型７から取り出される。【００１６】
低圧鋳造装置１００では、レベルセンサー９にて溶湯の上方の空間とストーク８内とが連通したことを確認する。よって、ストーク８内に不活性ガスが流入したことを確めた後に、開閉弁５にて連通孔４を閉じ、加圧室２内の溶湯を溶湯保持室１に戻すことを止めることができる。すなわち、加圧室２内の溶湯の上方空間とストーク８とを連通させて加圧室２内の不活性ガスをストーク８内に確実に流入させることが可能になる。よって、ストーク８内の溶湯の表面が空気に晒されることがなく、ストーク８内の溶湯に酸化膜が生成されるのを適確に防止することができる。また、溶湯を過剰に溶湯保持室１に戻すことを防止でき、鋳造のサイクルタイムを短くし生産性や効率を高めることができる。さらに、溶湯保持室１あるいは加圧室２とストーク８とが相対的に変位することがないので、密封性が確保できる。【００１７】
なお、本低圧鋳造装置１００では、鋳型７の上鋳型を下鋳型から分離したのち、製品キャビティ内から溶湯が凝固して成る鋳物を取り出し、続いて、鋳型７の上鋳型を下鋳型に重ねて製品キャビティを画成することにより、この製品キャビティ内に、加圧室内２の不活性ガスをストーク８を介して流入させ充満させることもできる。【００１８】
またなお、図３−Ａおよび図３−Ｂに示すように、前記ストーク８の下端部を、斜めに開口あるいは断続的に開口した形状にしてもよい。このような形状とすると、溶湯保持室１から供給された加圧室２内の溶湯にストーク８の下端を浸漬させた状態で、その下端開口の一部が加圧室２の溶湯面よりも上側に開口する。よって、不活性ガスによる加圧によって溶湯をより円滑にストーク８内に流入させることができる。【００１９】
またなお、上述の実施例では、加圧室２内の溶湯をストーク８を介して鋳型７の製品キャビティ内に充填するようにしているが、これに限定されるものではなく、例えば、図４に示す第２実施例としての低圧鋳造装置１０１のように、加圧室２２内の溶湯を鋳型７の注湯口に誘導する誘導孔２１を加圧室２２に接続させた構造にしてもよい。この場合、上述のレベルセンサー９とおなじ機能を有するレベルセンサー２９は、前記加圧室２２内における溶湯の上方に形成される空間と誘導孔２１内とが連通可能となる前記加圧室２２内の溶湯の上面レベルを検知するようになっている。
さらになお、溶湯の上面を検知するものとして、上述の実施例では接触式のレベルセンサーを使用しているが、これに限定されるものではなく、例えば、超音波式などの非接触式のものでもよい。【００２０】
なお、不活性ガス供給手段３０として、タンク３２、開閉弁３４および導管３６の構成を例示したが、不活性ガス供給手段３０はこれに限られず、空気中の窒素を分離してコンプレッサで加圧する装置など、周知の構成でよい。【００２１】
次に、図５を参照して、第３実施例としての低圧鋳造装置１１０について説明する。図５に示すように、低圧鋳造装置１１０は、図１に示す低圧鋳造装置１００のレベルセンサー９に代わり、前記蓋部材６に支持され、前記加圧室２内の圧力の所定値を検知する圧力センサー１９を備える。【００２２】
そして、加圧室２内のレベルセンサーとしては、加圧室２内の溶湯の上限レベルを検知するレベルセンサー１４が取り付けてある。また、低圧鋳造装置１００において説明した、加圧室２内の不活性ガスの圧力を制御するコントロール弁としての電磁開閉弁４２または開閉弁３４等は圧力制御手段として作用する。この圧力制御手段は圧力センサー１９からの圧力値に基づき、あるいは、他の圧力センサーからの圧力値に基づき、加圧室２内の圧力を制御する。典型的には、圧力値信号を受信し、圧力制御手段を作動する制御装置（不図示）を備える。【００２３】
このように構成した低圧鋳造装置１１０では、不活性ガス供給手段３０により不活性ガス供給孔１０から加圧室２における溶湯の上方に不活性ガスが供給されるとともに、排ガス孔４０から不活性ガスが逃がされて加圧室２内の溶湯の上方の空間が過剰圧力になるのを防止されながら、まず、開閉弁５が作動されて連通孔４が開かれ、溶湯保持室１内の溶湯が加圧室２内に供給される。レベルセンサー１４が加圧室２内の溶湯の上限レベルを検知した時、開閉弁５が作動されて連通孔４が閉じられる。次いで、より圧力の高い不活性ガスが不活性ガス供給孔１０から供給されて加圧室２内の溶湯が加圧され、加圧室２の溶湯がストーク８を介して鋳型７の製品キャビティ内に充填される（図６−Ａ参照）。鋳型７の製品キャビティ内の溶湯が凝固したのち開閉弁５が作動されて連通孔４が開かれ、かつ不活性ガス供給手段３０からの不活性ガスの圧力が制御されて加圧室２内の溶湯が溶湯保持室１内に戻される（図６−Ｂ参照）。加圧室２内の溶湯レベルが下降し、溶湯の上方に形成される空間とストーク８とが連通したのを圧力センサー１９が検知し、更に所定量溶湯レベルを降下させたのち、開閉弁５が作動されて連通孔４が閉じられる（図６−Ｃ参照）。すなわち、圧力センサー１９は、加圧室２内の溶湯を溶湯保持室１に戻して加圧室２内の溶湯レベルを下降させる時に、加圧室２内における溶湯の上方に形成される空間とストーク８内とが連通するときの圧力を圧力の所定値として検知する。なお、圧力センサー１９は、他の圧力を検知してもよく、例えば、溶湯の上方に形成される空間とストーク８内とが連通する少し前の圧力を検知し、検知後に不活性ガス供給孔１０から供給される不活性ガスの圧力が低くなるように制御してもよい。すると、さらに溶湯の上面が下がり溶湯の上方の空間とストーク８内とが連通したときに、不活性ガスは溶湯をストーク８内に巻き込むことなく、静かにストーク８内に流入する。【００２４】
溶湯レベルが溶湯の上方に形成される空間とストーク８とが連通したレベルから低下する過程で、加圧室２内の不活性ガスはストーク８内に流入する。次いで、排ガス孔からの不活性ガスの排出により加圧室２における溶湯の上方の空間の圧力が大気圧とほぼ同じになったのち、溶湯が凝固してなる鋳物が鋳型７から取り出される。【００２５】
なお、低圧鋳造装置１１０でも、鋳型７の上鋳型を下鋳型から分離したのち、製品キャビティ内から溶湯が凝固して成る鋳物を取り出し、続いて、鋳型７の上鋳型を下鋳型に重ねて製品キャビティを画成することにより、この製品キャビティ内に、加圧室内２の不活性ガスをストーク８を介して流入させ充満させることもできる。【００２６】
またなお、上述の実施例では、加圧室２内の溶湯をストーク８を介して鋳型７の製品キャビティ内に充填するようにしているが、これに限定されるものではなく、例えば、図７の第４実施例としての低圧鋳造装置１１１に示すように、加圧室２２内の溶湯を鋳型７の注湯口に誘導する誘導孔２１を加圧室２２に接続させた構造にしてもよい。この場合、上述の圧力センサー１９とおなじ機能を有する圧力センサー３９は、前記加圧室２２内における溶湯の上方に形成される空間と誘導孔２１内とが連通可能となる前記加圧室２２内の圧力の所定値を検知するようになっている。
またなお、圧力センサー１９、３９は、加圧室２内を加圧して鋳型７の製品キャビティ内に溶湯を充填する時に加圧室２内の圧力を制御するために設けられる圧力センサーと兼用してもよい。【００２７】
なお、これまでの実施例では、検知手段として、レベルセンサー９、２９および圧力センサー１９、３９を用いたが、検知手段は、加圧室における溶湯の上方に形成される空間とストーク内または誘導孔内とが連通していることを検知する周知の手段でよく、例えば、加圧室２、２２内の重量によって検知しても、離間した２点間の電気抵抗によりその間が連通しているか否かを検知してもよい。
【図面の簡単な説明】
【００２８】
【図１】本発明を適用した第１実施例の低圧鋳造装置の縦断面図である。
【図２】図１に示す低圧鋳造装置の作動説明図である。
【図３】ストークの下端の他の実施例を示す縦断面図である。
【図４】本発明を適用した第２実施例の低圧鋳造装置の縦断面図である。
【図５】本発明を適用した第３実施例の低圧鋳造装置の縦断面図である。
【図６】図５に示す低圧鋳造装置の作動説明図である。
【図７】本発明を適用した第４実施例の低圧鋳造装置の縦断面図である。
【図１】
2008132991.tif 000003
【図２】
2008132991.tif 000004
【図３】
2008132991.tif 000005
【図４】
2008132991.tif 000006
【図５】
2008132991.tif 000007
【図６】
2008132991.tif 000008
【図７】
2008132991.tif 000009
【国際調査報告】
2008132991.tif 000010
2008132991.tif 000011
2008132991.tif 000012
2008132991.tif 000013